(57)【要約】【課題】本発明は水分を含んだ加湿フィルターに通風することにより、室内を加湿する加湿装置に関するもので、スケール成分で汚れた水槽内の水の排水作業を容易にすることを目的とする。【解決手段】加湿手段５の下部には水槽７を設け、水槽７の下部に着脱可能な排水タンク９を設け、この排水タンク９は開口部１０を備え、水槽７には水槽底面に開閉手段１１を設け、排水タンク９を移動させることにより開閉手段１１が開き、水槽７内の水は開口部１０を介して排水タンク９内へ排水されるという構成にしたことにより、水槽７内の水は排水タンク９内へ排水されるので、水槽７内のスケール水を排水する為に、加湿フィルター６等が装着された水槽７を、本体ケース３から外し排水設備まで運ぶ代わりに、スケール水の入った排水タンク９のみを運搬することで排水処理可能となる。【選択図】図２
2012229827.tif 000002
【特許請求の範囲】
【請求項１】
吸気口と排気口を有する本体ケースと、この本体ケース内で、前記吸気口から前記排気口に送風される送風路に送風手段と、加湿手段とを備え、この加湿手段の下部には水槽を設け、この水槽に常に所定水位まで給水する着脱可能な給水タンクを備え、前記水槽の下部に着脱可能な排水タンクを設け、この排水タンクは開口部を備え、前記水槽と前記排水タンク間に開閉手段を設け、前記排水タンクを移動させることにより前記開閉手段が開き、前記水槽内の水は前記開口部を介して前記排水タンク内へ排水されることを特徴とする加湿装置。
【請求項２】
前記開閉手段は、前記排水タンクを前記本体ケースに装着した状態から前記排水タンクを取り出す方向に移動させることでも、前記排水タンクを前記本体ケースから外れた状態から前記排水タンクを前記本体ケースに入れる方向に移動させることでも開くことを特徴とする請求項１に記載の加湿装置。
【請求項３】
前記開閉手段は開閉弁部と開閉弁稼動部と連通部から形成し、この開閉弁稼動部によって前記開閉弁部を下から押すことで開き、離すことで自動で閉まる構造であり、前記開閉弁稼動部は前記排水タンクの天面に位置し、上方へ膨らんでいる凸形状であることを特徴とする請求項２に記載の加湿装置。
【請求項４】
前記開閉手段が開く位置において、前記排水タンクの移動停止手段を設けることを特徴とする前記２または３に記載の加湿装置。
【請求項５】
前記排水タンク天面の略後方部に前記開口部を備え、前記開閉弁稼動部近傍に水路を設け、前記水路は前記開口部へ排水が集まるように勾配を設けることを特徴とする請求項２から４のいずれか一項に記載の加湿装置。
【請求項６】
前記排水タンク天面の略中央部に前記開口部を備え、前記開閉弁稼動部近傍に水路を設け、前記水路は前記開口部へ排水が集まるように勾配を設けることを特徴とする請求項２から４のいずれか一項に記載の加湿装置。
【請求項７】
前記排水タンク天面の略前方部に前記開口部を備え、前記開閉弁稼動部近傍に水路を設け、前記水路は前記開口部へ排水が集まるように勾配を設けることを特徴とする請求項２から４のいずれか一項に記載の加湿装置。
【請求項８】
前記開閉弁部の下部が球状であることを特徴とする請求項２から７のいずれか一項に記載の加湿装置。
【発明の詳細な説明】
【技術分野】
【０００１】
本発明は、水分を含んだ加湿フィルターに通風することにより、室内を加湿する加湿装置に関するものである。
【背景技術】
【０００２】
従来、この種の加湿装置の一例として、加湿フィルターの一部を常に水槽内に浸水させ、加湿フィルターによって溜水を吸い上げることを特徴とし、この水槽に常に給水する着脱可能な給水タンクを備えた加湿装置が知られている（例えば、特許文献１参照）。
【０００３】
この加湿装置は、吸気口と排気口を備えた本体ケースと、吸込口と吹出口を連通して形成される送風路に送風空気を流通させる送風手段と、給水タンクから給水させる水槽と、水槽の溜水に常に下部を浸した状態に設けられた加湿フィルターとで構成されている。
【０００４】
そして、送風手段によって流通される送風空気が加湿フィルターを通過する際に、水槽の溜水を吸い上げた加湿フィルターを通過することで送風空気が加湿され、吹出口より室内へ供給されるものである。
【０００５】
しかし、加湿フィルターが溜水を吸い上げ、水のみを気化することで、加湿装置の水槽内の水は、使用時間、使用水量に比例して、カルシウム分、マグネシウム分、ホコリなどのいわゆるスケール成分で汚れていく。その結果、汚れている水で加湿することになり、さらにスケール成分濃度が上昇して行き、加湿フィルターにスケールが析出し、目詰まりすることで吸水量ならびに送風空気の風量が低下し、加湿量の低下を招くものであった。そこで、従来はこの水槽内のスケール成分で汚れた水を排水する為に、水槽を本体ケースから着脱自在な構成とし、この水槽を排水設備まで運び排水するものであった。
【先行技術文献】
【特許文献】
【０００６】
【特許文献１】特開２０１１−２１７９７号公報
【発明の概要】
【発明が解決しようとする課題】
【０００７】
このような従来の加湿装置においては、水槽内のスケール成分で汚れた、いわゆるスケール水の排水作業には、水槽を排水設備まで運ぶ必要があったが、水槽には加湿フィルター等が装着されておりかさばるので、面倒であった。
【０００８】
そこで本発明は、上記従来の課題を解決するものであり、水槽内の水の排水作業を容易にすることを目的とする。
【課題を解決するための手段】
【０００９】
そして、この目的を達成するために、本発明は、加湿手段の下部には水槽を設け、この水槽に常に所定水位まで給水する着脱可能な給水タンクを備え、前記水槽の下部に着脱可能な排水タンクを設け、この排水タンクは開口部を備え、前記水槽には水槽底面に開閉手段を設け、前記排水タンクを移動させることにより前記開閉手段が開き、前記水槽内の水は前記開口部を介して前記排水タンク内へ排水されるとしたものであり、これにより初期の目的を達成するものである。
【発明の効果】
【００１０】
本発明によれば、加湿手段の下部には水槽を設け、この水槽に常に所定水位まで給水する着脱可能な給水タンクを備え、前記水槽の下部に着脱可能な排水タンクを設け、この排水タンクは開口部を備え、前記水槽には水槽底面に開閉手段を設け、前記排水タンクを移動させることにより前記開閉手段が開き、前記水槽内の水は前記開口部を介して前記排水タンク内へ排水されるという構成にしたことにより、排水タンクを移動させると開閉手段が開くことで水槽内の水は開口部を介して排水タンク内へ排水されるので、水槽内のスケール水を排水する為に、加湿フィルター等が装着された水槽を、本体ケースから外し排水設備まで運ぶ代わりに、スケール水の入った排水タンクのみを、本体ケースから外し排水設備まで運ぶことにより、水槽内の水の排水作業ができるようになり、水槽内の水の排水作業を容易にすることができる。
【図面の簡単な説明】
【００１１】
【図１】本発明の実施の形態１の加湿装置の概略図
【図２】同加湿装置の概略断面図
【図３】同加湿装置の排水タンクの取り出し途中を示す概略断面図
【図４】同加湿装置の開閉手段を示す概略断面図
【図５】同加湿装置の排水タンクの概略図
【図６】本発明の実施の形態２の加湿装置の概略断面図
【図７】同加湿装置の排水タンクの概略図
【図８】本発明の実施の形態３の加湿装置の概略断面図
【図９】同加湿装置の排水タンクの概略図
【発明を実施するための形態】
【００１２】
本発明の請求項１記載の加湿機は、加湿手段の下部には水槽を設け、この水槽に常に所定水位まで給水する着脱可能な給水タンクを備え、前記水槽の下部に着脱可能な排水タンクを設け、この排水タンクは開口部を備え、前記水槽には水槽底面に開閉手段を設け、前記排水タンクを移動させることにより前記開閉手段が開き、前記水槽内の水は前記開口部を介して前記排水タンク内へ排水されるという構成を有する。これにより、排水タンクを移動させると開閉手段が開くことで水槽内の水は開口部を介して排水タンク内へ排水されるので、水槽内のスケール水を排水する為に、加湿フィルター等が装着された水槽を、本体ケースから外し排水設備まで運ぶ代わりに、スケール水の入った排水タンクのみを、本体ケースから外し排水設備まで運ぶことにより、水槽内の水の排水作業ができるようになり、水槽内の水の排水作業を容易にすることができるという効果を奏する。
【００１３】
また、水槽の下部に位置する排水タンクが水槽の開閉手段を開くスイッチの役目もなすので、使用者が水槽内の残水処理を目的とした作業の一環として排水タンクへの貯水動作が行えることとなり、排水作業が容易になるという効果を奏する。
【００１４】
また、前記開閉手段は、前記排水タンクを前記本体ケースに装着した状態から前記排水タンクを取り出す方向に移動させることでも、前記排水タンクを前記本体ケースから外れた状態から前記排水タンクを前記本体ケースに入れる方向に移動させることでも開く構造にしてもよい。これにより、排水タンクを本体ケースから取り出す作業においても、排水タンクを本体ケースへ入れる作業においても、水槽から排水タンクへスケール水が排水されることとなるので、水槽の水が全て抜けきる前に排水タンクを本体ケースから取り出した場合でも、排水タンクを本体ケース内に入れる作業により水槽から排水タンクへスケール水が排水される。そのため、水槽内のスケール水を排水タンク内へ確実に排水することができ、使用者の取り出し時の注意が軽減され、排水作業の負担が低減されるという効果を奏する。
【００１５】
また、前記開閉手段は開閉弁部と開閉弁稼動部と連通部から形成し、この開閉弁稼動部によって前記開閉弁部を下から押すことで開き、離すことで自動で閉まる構造であり、前記開閉弁稼動部は前記排水タンクの天面に位置し、上方へ膨らんでいる凸形状である構造であるという構造にしてもよい。これにより、排水タンクを本体ケースから取り出す方向に動かした場合、開閉弁部の下部に開閉弁稼動部が接触し、前記開閉弁部が下から押され、開閉手段が開いた点から、水槽から排水タンクへ連通部および開口部を介してスケール水排水が始まり、さらに排水タンクを動かすことで開閉弁部の下部が大きく押され開放部が大きく開くことで排水スピードが上がる。その後、排水タンクをさらに動かすことで開閉弁部が開閉弁稼動部に下から押し上げられる距離が短くなるとともに開放部が小さくなり、排水スピードも遅くなる。その後、開閉弁部下部と開閉弁稼動部が離れることで開閉手段が閉まり水槽から排水タンクへのスケール水の排水が止まる。すなわち、使用者の自然な排水タンクを出す操作により排水スピードが変化し、効率良く排水することができるだけでなく、排水タンク取り出し時に水槽から本体ケース内への漏水を防ぐことができ、使用者の取り出し時の注意が軽減され、排水作業の負担が低減されるという効果を奏する。
【００１６】
また、前記開閉手段が開く位置において、前記排水タンクの移動停止手段を設けるという構造にしてもよい。これにより、排水タンクを本体ケースから取り出す作業の途中で一度止まることにより、開閉手段が開いている時間が長くなり水槽から排水タンクへの排水量が増える。また、排水が実施される位置を使用者に伝えることができるため、使用者は排水が終わるまで作業を停止しやすくなり、排水作業の負担が低減されるという効果を奏する。
【００１７】
また、前記排水タンク天面の略後方部に前記開口部を備え、開閉弁稼動部近傍に水路を設け、前記水路は前記開口部へ排水が集まるように勾配を設けた構造にしてもよい。これにより、開閉手段が開くことで水槽から排水された水は排水タンク天面に落ち、その位置は開閉弁稼動部上である。その位置に水路を設け、その水路は前記開口部へ向けて勾配があることで、落ちた水は水路を通り開口部へ流れ込む。水路を流れる距離は排水タンクを本体ケースから取り出し始めは長く、取り出し終わるときは短くなり、距離に比例して排水が開口部へ流れるまでの時間も短くなる。これにより、排水タンクを本体ケースから取り出した時点で排水タンク天面に残る水量が少なくなり、天面から外部へ漏水する確率が減るため、使用者の排水タンクを排水設備まで運ぶ作業時の注意が軽減され、排水作業の負担が低減されるという効果を奏する。
【００１８】
また、前記排水タンク天面の略中央部に前記開口部を備えた構成にしてもよい。ここで、本体ケースから排水タンクを取り出す場合、その振動により排水タンク内の排水には取り出し方向と平行方向に波が形成され、その波は排水タンクの両壁面において最大になる。開放部が略中央部にあることにより、生じた波は排水タンク天面の裏側に衝突し外部へ漏れることが無くなる。また、排水タンク運搬時における振動により生じる排水の波も同様に排水タンク天面の裏側に衝突して外部へ漏れることが無くなる。これにより、使用者が排水タンクを本体ケースから取り出す場合や、排水タンクを排水設備まで運ぶ作業時に排水タンクから外部への漏水に注意する必要が無くなるため、排水作業の負担が低減されるという効果を奏する。
【００１９】
また、前記排水タンク天面の略前方部に前記開口部を備えた構成にしてもよい。これにより、本体ケースから排水タンクを取り出し方向に移動させる初期において、開口部が使用者から見える位置に出てくる。開放部が見えることにより、水槽から排水タンクへ排水作業が出来ているかどうかを、水が流れる音を聞くことで判断するだけでなく、排水が開口部へ流れこんでいる様子を目視できるようになるので、水槽から完全に排水されたかどうかを作業者が容易に判断することができ、排水作業の負担が低減されるという効果を奏する。
【００２０】
また、前記開閉弁部の下部が球状であるという構成にしてもよい。これにより、接触面積が少なくなることで、移動させる際の抵抗が少なくなるので、排水タンクの出し入れ動作が楽になり、排水作業の負担が低減されるという効果を奏する。
【００２１】
以下、本発明の実施の形態について図面を参照しながら説明する。
【００２２】
（実施の形態１）
図１および図２に示すように、本実施形態の加湿装置は、吸気口１と排気口２を有する本体ケース３と、この本体ケース３内で、吸気口１から排気口２に送風される送風路に送風手段４と、加湿手段５とを備えている。
【００２３】
本体ケース３は略直方体形状で、背面側の側面に略横長四角形状の吸気口１を設け、天面の背面側に略横長四角形状の排気口２を備えている。
【００２４】
加湿手段５は、円筒形状の加湿フィルター６と、この加湿フィルター６を回転させる回転手段（図示せず）とから形成している。加湿手段５の下部には水が入った水槽７を設けている。この水槽７の水に、加湿フィルター６の周縁の一部が浸漬されたものである。
【００２５】
水槽７は天面が開口した略箱形状で、本体ケース３の中央部に本体ケース３の正面側から引き出せるように摺動可能に設けられ、加湿フィルター６を装着する加湿フィルター装着部と、給水タンク８を装着する給水タンク装着部とを備えている。加湿フィルター装着部は水槽７の背面側に設けられ、給水タンク装着部は水槽７の正面側に設けられている。
【００２６】
加湿フィルター６は円筒形状で、水槽７の加湿フィルター装着部に回転可能で、回転軸方向が水平方向となるように装着されている。加湿フィルター６の円形状の側面部の片側に歯車を設け、この歯車に回転手段である電動機の回転力が伝わり、加湿フィルター６が回転するものである。
【００２７】
給水タンク８は略直方体形状で、本体ケース３の天面側から取り出し可能に設けられ、水槽７に所定水位まで一定量の水を供給するものである。
【００２８】
このような構成において、送風手段４によって、本体ケース３の吸気口１から吸込まれた室内の空気が、加湿フィルター６を通過する。この加湿フィルター６で加湿された空気を、本体ケース３の排気口２から室内へ排気するものである。
【００２９】
本実施形態における特徴は、水槽７の下部に着脱可能な排水タンク９を設け、この排水タンク９は開口部１０を備え、水槽７には水槽底面に開閉手段１１を設け、排水タンク９を移動させることにより開閉手段１１が開き、水槽７内の水は開口部１０を介して排水タンク９内へ排水されるものである。
【００３０】
排水タンク９は略直方体形状で、本体ケース３の下部に、本体ケース３の正面側から引き出せるように摺動可能に設けられ、その天面には略長方形形状の開口部１０を有する。
【００３１】
このような構成にすることにより、排水タンク９を移動させると開閉手段１１が開くことで水槽７内の水は、排水タンク９の天面に落ち、天面に設けられた開口部１０を介して排水タンク９内へ排水されるので、水槽７内のスケール水を排水する為に、加湿フィルター６等が装着された水槽７を、本体ケース３から外し排水設備まで運ぶ代わりに、スケール水の入った排水タンク９のみを、本体ケース３から外し排水設備まで運ぶことにより、水槽７内の水の排水作業ができるようになり、水槽７内の水の排水作業を容易にすることができるという効果を奏する。
【００３２】
また、水槽７の下部に位置する排水タンク９が開閉手段１１を開くスイッチの役目もなすので、使用者が水槽７内の残水処理を目的とした作業の一環として排水タンク９への貯水動作が行えることとなり、排水作業が容易になる。
【００３３】
また、開閉手段１１は、排水タンク９を本体ケース３に装着した状態から排水タンク９を取り出す方向に移動させることでも、排水タンク９を本体ケース３から外れた状態から排水タンク９を本体ケース３に入れる方向に移動させることでも開くものである。これにより、排水タンク９を本体ケース３から取り出す作業においても、排水タンク９を本体ケース３へ入れる作業においても、水槽７から排水タンク９へスケール水が排水されることとなるので、水槽７の水が全て抜けきる前に排水タンク９を本体ケース３から取り出した場合でも、排水タンク９を本体ケース３内に入れる作業により水槽７から排水タンク９へスケール水が排水される。そのため、水槽７内のスケール水を排水タンク９内へ確実に排水することができ、使用者の取り出し時の注意が軽減され、排水作業の負担が低減される。
【００３４】
具体的には、図３および図４に示すように、開閉手段１１は開閉弁部１３と開閉弁稼動部２２と連通部１２から形成し、この開閉弁稼動部２２によって開閉弁部１３を下から押すことで開き、離すことで自動で閉まる構造であり、開閉弁稼動部２２は排水タンク９の天面に位置し、上方へ膨らんでいる凸形状である。
【００３５】
この点について詳細に説明すると、図４に示すように、開閉手段１１は水槽７底面に設けられた円形状の連通部１２と、この連通部１２を通るように設けられた垂直方向に摺動自在な開閉弁部１３によって形成されている。開閉弁部１３は連通部１２の中央部を通る略棒状の弁軸部１４と、この弁軸部の両端には上端に閉塞弁１５と、下端に押上げ部１６と、連通部１２と押上げ部１６の間に設けられたばね１７により形成している。弁軸部１４の上端に存在する閉塞弁１５は、水槽内側にあり、連通部１２より大きい略円柱形状であり、弁軸部１４の外側を囲むように、螺旋形状のばね１７を備えている。このばね１７のテンションによって、押上げ部１６と連通部１２との距離を長く保ち、ばね１７に外部から力が与えられない状態では、閉塞弁１５と連通部１２との間には隙間が生じないように保たれるものである。
【００３６】
開閉弁稼動部２２により押上げ部１６の下部から上方向に力を加えると、ばねが縮むことで弁軸部１４が上に移動し、その上端の閉塞弁１５も上に移動することで連通部１２と離れ、その間には開放部２３が生じることで開閉手段１１が開く。この開放部２３の大きさは、ばね止め部を上に移動する距離により変化し、上に移動する距離を長くするほど、広くなる。また、開閉弁稼動部２２と押上げ部１６が離れ、下から押し上げる動作が止まると、ばね１７のテンションにより、押上げ部１６と連通部１２との距離が長くなり、逆に、閉塞弁１５と連通部１２との距離は短くなり、最終的には隙間が生じなくなることで開閉手段１１は自動で閉まる。
【００３７】
これにより、図３のように、排水タンク９を本体ケース３から取り出す方向に動かした場合、開閉弁部１３の押上げ部１６下部に排水タンク９天面の開閉弁稼動部２２が接触した点から水槽７から排水タンク９へのスケール水排水が始まり、さらに排水タンク９を動かすことで押上げ部１６の下部が開閉弁稼動部２２により大きく押され開放部２３が大きく開くことで排水スピードが上がる。その後、排水タンク９をさらに動かすことで押上げ部１６下部が開閉弁稼動部２２に押し上げられる距離が短くなるとともに開放部２３が狭くなり、排水スピードも遅くなる。その後、押上げ部１６の下部と開閉弁稼動部２２が離れることで開閉手段１１が閉まり水槽７から排水タンク９へのスケール水の排水が止まる。
【００３８】
すなわち、使用者の自然な排水タンク９を出す操作により排水スピードが変化し、効率良く排水することができるだけでなく、排水タンク９取り出し時に水槽から本体ケース３内への漏水を防ぐことができ、使用者の取り出し時の注意が軽減され、排水作業の負担が低減される。
【００３９】
また、開閉手段１１が開く位置において、排水タンク９の移動停止手段１８を設けるものである。移動停止手段１８は、排水タンク９底面から下方に伸びた略台形状の排水タンク側凸部１９と、本体ケース３内下部から上方に伸びた略代形状の本体ケース内凸部２０からから構成され、排水タンク側凸部１９は排水タンク外側底面の略後方部に設けられ、本体ケース内凸部２０は本体ケース３の内側底面の略中央部に設けられている。
【００４０】
これにより、図２の状態から排水タンク９を本体ケース３から取り出す動作をすると、図３のように排水タンク側凸部１９と、本体ケース内凸部２０がぶつかり、排水タンク９を本体ケース３から取り出す作業の途中で一度止まる。そのため、開閉手段１１が開いている時間が長くなり水槽７から排水タンク９への排水量が増える。また、排水が実施される位置を使用者に伝えることができるため、使用者は排水が終わるまで作業を停止しやすくなり、排水作業の負担が低減される。
【００４１】
また、排水タンクは図５に示すように、排水タンク９天面の開閉弁稼動部２２両側で本体ケース３における背面側である略後方部に開口部１０を備え、開閉弁稼動部２２近傍に水路２１を設け、水路２１は開口部１０へ排水が集まるように勾配を設けた構造である。
【００４２】
ここで、開閉手段１１が開くことで水槽７から排水された水は排水タンク９天面の開閉弁稼動部２２に近傍落ちる。開閉弁稼動部２２の両側に水路２１を設け、その水路２１は開口部１０へ向けて勾配があることで、落ちた水は水路２１を通り開口部１０へ流れ込む。水路を流れる距離は排水タンク９を本体ケース３から取り出し始めは長く、取り出し終わるときは短くなり、距離に比例して排水が開口部１０へ流れるまでの時間も短くなる。これにより、排水タンク９を本体ケース３から取り出した時点で排水タンク９天面に残る水量が少なくなり、天面から外部へ漏水する確率が減るため、使用者の排水タンク９を排水設備まで運ぶ作業時の注意が軽減され、排水作業の負担が低減される。
【００４３】
また、図２および図３に示すように、排水タンク９の容積は、水槽７内の水の容積より大きいものであり、水槽７内の水を複数回、排水タンク９内へ排水できるものである。これにより、排水タンク９に水槽７内の溜水を複数回溜めることで、排水タンク９の搬送回数を減らして、使用者の排水タンク９の排水設備での処理作業の軽減化が図れる。
【００４４】
また、図４に示すように、開閉手段１１の押上げ部１６下部は球状である。これにより、開閉弁稼動部２２と押上げ部１６下部の接触面積が少なくなることで、排水タンク９を移動させる際の抵抗が少なくなるので、排水タンクの出し入れ動作が楽になり、排水作業の負担が低減される。
【００４５】
（実施の形態２）
図６および図７において、図３と同様の構成要素については同一の符号を付し、その詳細な説明は省略する。実施の形態１と相違する点は、図７に示す排水タンク９ａである。具体的には、図６および図７に示すように、排水タンク９ａの開口部１０ａの設置位置と、それに伴う水路２１ａの勾配方向が異なるものである。すなわち、排水タンク９ａ天面の開閉弁稼動部２２両側、略中央部に開口部１０ａを備え、排水タンク９ａ天面の開閉弁稼動部２２両側に水路２１ａを設け、水路２１ａは開口部１０ａへ排水が集まるように勾配を設けた構造である。
【００４６】
ここで、本体ケース３から排水タンク９ａを取り出す場合、その振動により排水タンク９ａ内の排水には取り出し方向と平行方向に波が形成され、その波は排水タンク９ａの両壁面において最大になる。開口部１０ｂが排水タンク９ａにおける略中央部にあることにより、生じた波は排水タンク９ａ天面の裏側に衝突し外部へ漏れることが無くなる。また、排水タンク９ａ運搬時における振動により生じる排水の波も同様に排水タンク９ａ天面の裏側に衝突して外部へ漏れることが無くなる。これにより、
使用者が排水タンク９ａを本体ケース３から取り出す場合や、排水タンク９ａを排水設備まで運ぶ作業時に排水タンク９ａから外部への漏水に注意する必要が無くなるため、排水作業の負担が低減される。
【００４７】
（実施の形態３）
図８および図９において、図３と同様の構成要素については同一の符号を付し、その詳細な説明は省略する。実施の形態１と相違する点は、図９に示す排水タンク９ｂである。具体的には、排水タンク９ｂの開口部１０ｂの設置位置と、それに伴う水路２１ｂの勾配方向が異なるものである。すなわち、排水タンク９ｂ天面の開閉弁稼動部２２両側、
本体ケース３における正面側である略前方部に前記開口部１０ｂを備え、排水タンク９ｂ天面の開閉弁稼動部２２両側に水路２１ｂを設け、水路２１ｂは開口部１０ｂへ排水が集まるように勾配を設けた構造である。
【００４８】
これにより、本体ケース３から排水タンク９ｂを取り出し方向に移動させる初期において、開口部１０ｂが使用者から見える位置に出てくる。開口部１０ｂが見えることにより、水槽７から排水タンク９ｂへ排水作業が出来ているかどうかを、水が流れる音を聞くことで判断するだけでなく、排水が開口部１０ｂへ流れこんでいる様子を目視できるようになるので、水槽７から完全に排水されたかどうかを作業者が容易に判断することができ、排水作業の負担が低減される。
【産業上の利用可能性】
【００４９】
本発明にかかる加湿装置は、加湿手段の下部には水槽を設け、水槽の下部に着脱可能な排水タンクを設け、この排水タンクは開口部を備え、水槽には水槽底面に開閉手段を設け、排水タンクを移動させることにより開閉手段が開くことで、水槽内の水は前記開口部を介して前記排水タンク内へ排水されるという構成にしたことにより、水槽内のスケール水を排水する為に、加湿フィルター等が装着された水槽を、本体ケースから外し排水設備まで運ぶ代わりに、スケール水の入った排水タンクのみの運搬で水槽内の水の排水作業ができるようになり、水槽内の水の排水作業を容易にすることができるため、排水作業の負担が低減される。従って、家庭用や事務所用などの、加湿装置等としての活用が有用である。
【符号の説明】
【００５０】
１      吸気口
２      排気口
３      本体ケース
４      送風手段
５      加湿手段
６      加湿フィルター
７      水槽
８      給水タンク
９      排水タンク
９ａ    排水タンク
９ｂ    排水タンク
１０    開口部
１０ａ  開口部
１０ｂ  開口部
１１    開閉手段
１２    連通部
１３    開閉弁部
１４    弁軸部
１５    閉塞弁
１６    押上げ部
１７    ばね
１８    移動停止手段
１９    排水タンク側凸部
２０    本体ケース内凸部
２１    水路
２１ａ  水路
２１ｂ  水路
２２    開閉弁稼動部
２３    開放部
【図１】
2012229827.tif 000003
【図２】
2012229827.tif 000004
【図３】
2012229827.tif 000005
【図４】
2012229827.tif 000006
【図５】
2012229827.tif 000007
【図６】
2012229827.tif 000008
【図７】
2012229827.tif 000009
【図８】
2012229827.tif 000010
【図９】
2012229827.tif 000011